(57)【特許請求の範囲】
【請求項１】
板ガラスを水平状態で送る搬送装置であって、
前記板ガラスの反パターン面を支持して該板ガラスを搬送方向に送るベルト部と、
該ベルト部と対向する位置に配置され、前記板ガラスのパターン面に向けて所定の液体圧を作用させる液体ガイドと、を有する送り機構を備え、
前記液体ガイドは、前記ベルト部と対向するように設けられたパターン面支持液体ガイドを有し、該パターン面支持液体ガイドは、パターン面支持液体ガイドと板ガラスのパターン面との隙間から液体が漏れ出るような状態で液体を貯めて板ガラスのパターン面に所定の液体圧が作用する体積の貯圧部を有し、
前記ベルト部と液体ガイドを備えた送り機構により、前記液体ガイドの液体圧で前記板ガラスを前記ベルト部に押圧して、該板ガラスのパターン面に非接触の状態で該板ガラスを前記ベルト部との間で挟持するように構成されていることを特徴とする板ガラスの搬送装置。
【請求項２】
前記板ガラスの幅方向中央部に前記送り機構を配置し、
前記板ガラスの両端部に、該板ガラス表面との間に液体層を形成して非接触で支持する液体ガイドを配設した請求項１に記載の板ガラスの搬送装置。
【請求項３】
前記板ガラスのパターン面を上方に向けた状態で搬送するように構成し、
前記ベルト部の板ガラスと接する表面を凹凸状に形成した請求項１又は２に記載の板ガラスの搬送装置。
【請求項４】
請求項１〜３のいずれか１項に記載の搬送装置を備え、
該搬送装置で搬送する前記板ガラスの端縁を研削及び研磨する面取り機を有するとともに、
前記ベルト部を搬送方向にガイドするガイド部を有していることを特徴とする板ガラスの面取り装置。
【請求項５】
前記面取り機は、前記板ガラスの送り方向両側部に対向して配置された砥石部を有している請求項４に記載の板ガラスの面取り装置。
【請求項６】
前記面取り機は、前記板ガラスの隅部を研削及び研磨する角面取り機を有している請求項４又は５に記載の板ガラスの面取り装置。
【請求項７】
前記角面取り機は、研削砥石と研磨砥石とを有する砥石部を備え、
該砥石部は、前記研削砥石又は研磨砥石を前記板ガラスの端縁に位置させる配置替え機構を具備している請求項６に記載の板ガラスの面取り装置。
【請求項８】
前記板ガラスの搬送方向に前記面取り装置を２台配置し、該２台の面取り装置の間に前記板ガラスを水平面内で９０度回転させる反転機を備えさせた請求項４〜７のいずれか１項に記載の板ガラスの面取り装置。
【請求項９】
前記面取り装置は、長辺面取り装置と短辺面取り装置とで構成され、
前記長辺面取り装置は、Ｒ面取り砥石、研磨砥石を有する砥石部を備え、
前記短辺面取り装置は、Ｒ面取り砥石、研磨砥石、角面取り砥石とを有する砥石部を備えている請求項８に記載の板ガラスの面取り装置。
【発明の詳細な説明】
【技術分野】
【０００１】
本発明は、液晶ディスプレイ用ガラス基板やプラズマディスプレイパネル等に用いられる板ガラスを水平状態で搬送する搬送装置に関する。
【背景技術】
【０００２】
従来、液晶ディスプレイ等に使用される板ガラス（この明細書及び特許請求の範囲の書類中における「板ガラス」は、液晶パネル、プラズマパネル、有機ＥＬパネルなどのフラットパネルディスプレイ（Flat Panel Display；ＦＰＤ）に用いられる板ガラス等をいう）は、複数枚の所定サイズ板ガラスが取れる大きさの板ガラス（マザーガラス）から製作されている。
【０００３】
このような板ガラスは、加工工程中で発生するカレットや加工の結果発生するパーティクル等から表面を保護するために、ガラス表面に保護シートを貼り付ける方法が一般的に採用されている。このような板ガラスの厚みとしては、例えば、約０．７ｍｍ程度の薄さのものが製造されている。
【０００４】
そして、このような板ガラスを横向きの水平状態で搬送し、複数の加工工程において所定サイズに切断後、その切断端縁の研削・研磨等の面取り加工を施すことによって所定の強度を保った製品板ガラスが製作されている。
【０００５】
この種の板ガラスを搬送する先行技術として、端面加工機における板材を、下部無端ベルトと上部無端ベルトとによって挟持し、下部無端ベルトの上側移行部上面に上部無端ベルトの下側移行部下面を圧接して上部無端ベルトと下部無端ベルトを同速度で移行させるようにしたものがある（例えば、特許文献１参照）。
【０００６】
また、他の先行技術として、無端のコンベヤーベルトで板ガラスを挟持して送るようにしたものや（例えば、特許文献２参照）、上下２対の無端回動チェーンの上下対向面に板ガラス挟持部材を設け、これらの板ガラス挟持部材によって板ガラスを挟持して送るようにしたものもある（例えば、特許文献３参照）。
【先行技術文献】
【特許文献】
【０００７】
【特許文献１】特開平６−１２６５８３号公報
【特許文献２】特開昭５３−７１３９６号公報
【特許文献３】特開昭５５−１２９７５３号公報
【発明の概要】
【発明が解決しようとする課題】
【０００８】
ところで、上記したようなフラットパネルディスプレイ等に用いられる板ガラスは、表面の疵や汚れについて高い品質が求められる。また、板ガラスの反り、うねり等の表面精度についても、高い品質が求められる。
【０００９】
特に、この種の板ガラスのパターン面（この明細書及び特許請求の範囲の書類中では、半導体等の各種薄膜層を形成する面をいう）は、例えば、ＴＦＴ（薄膜トランジスタ）を使用する液晶ディスプレイの場合、薄板の無アルカリガラス基板上にアモルファスシリコン、絶縁体、半導体等の各種の薄膜層を形成してパターン加工を施し、ＴＦＴや液晶駆動用の表示電極、配線を形成するため、他方のバック面（この明細書及び特許請求の範囲の書類中では、反パターン面をいう）に比べて非常に高い清浄度等が要求される。
【００１０】
しかしながら、上記した特許文献１〜３では、板ガラスの下面と上面をベルトで挟んで送るため、板ガラスのパターン面とベルトとの間に粉塵等を挟むと、上記したようにガラス表面に保護シートを貼り付けていたとしても、その挟んだ粉塵でパターン面に疵を付けてしまう。
【００１１】
特に、板ガラスを送りながら端縁を研削する工程においては、その研削粉などを挟み込むおそれが高く、それによってパターン面に疵を付けてしまうおそれが高い。このパターン面に疵を付けてしまうと、その板ガラスは廃棄処分しなければならず、歩留まりの悪化を招き生産性が低下する。
【００１２】
また、板ガラスの端縁を面取りする面取り装置は実用化されているが、面取り作業の高速化、品質安定化の要請もある。また、コストダウンの要求もある。
【００１３】
さらに、上記面取り装置で板ガラスの四隅部を角面取り（コーナカット）する場合、通常、この角面取り部分は他の四辺の端縁（エッジ）研削における仕上げ精度のような精度が求められていないので、端縁研削のように研磨仕上げをしていない。そのため、角面取り部分は、面粗さが粗い状態で残っている。しかし、この角面取り部分に汚れが滞留し易いので、更なる品質向上のために、角面取り部分における仕上げ精度の向上も求められている。
【００１４】
そこで、本発明は、板ガラスのパターン面を疵付けることなく安定して送ることができる板ガラスの搬送装置を提供することを目的とする。
【課題を解決するための手段】
【００１５】
上記目的を達成するために、本発明に係る板ガラスの搬送装置は、板ガラスを水平状態で送る搬送装置であって、前記板ガラスの反パターン面を支持して該板ガラスを搬送方向に送るベルト部と、該ベルト部と対向する位置に配置され、前記板ガラスのパターン面に向けて所定の液体圧を作用させる液体ガイドと、を有する送り機構を備え、前記液体ガイドは、前記ベルト部と対向するように設けられたパターン面支持液体ガイドを有し、該パターン面支持液体ガイドは、パターン面支持液体ガイドと板ガラスのパターン面との隙間から液体が漏れ出るような状態で液体を貯めて板ガラスのパターン面に所定の液体圧が作用する体積の貯圧部を有し、前記ベルト部と液体ガイドを備えた送り機構により、前記液体ガイドの液体圧で前記板ガラスを前記ベルト部に押圧して、該板ガラスのパターン面に非接触の状態で該板ガラスを前記ベルト部との間で挟持するように構成されている。この明細書及び特許請求の範囲の書類中における「挟持」は、液体ガイドを板ガラスのパターン面と物理的に固体接触させることなく非接触で支持することをいう。また、「液体」は、「純水」等の板ガラス表面の高い清浄度を保てる液体を含む液体をいう。これにより、板ガラスのパターン面に構造物を固体接触させることなく、この板ガラスをベルト部と板ガラスのパターン面に所定の液体圧を作用させる貯圧部を有するパターン面支持液体ガイドを備えた液体ガイドとによって挟持した状態で搬送することができるので、板ガラスのパターン面に疵を付けることなく表面の高品質を保って安定した搬送ができる。 
【００１６】
また、前記板ガラスの幅方向中央部に前記送り機構を配置し、前記板ガラスの両端部に、該板ガラス表面との間に液体層を形成して非接触で支持する液体ガイドを配設してもよい。このようにすれば、送り機構を板ガラスの幅方向中央部のみとして搬送装置のコスト低減を図りつつ、板ガラスをベルト部と液体ガイドとによって挟持した状態で搬送することで、板ガラスのパターン面に疵を付けることなく表面の高品質を保って安定して搬送することができる。
【００１７】
また、前記板ガラスのパターン面を上方に向けた状態で搬送するように構成し、前記ベルト部の板ガラスと接する表面を凹凸状に形成してもよい。このようにすれば、液体ガイドからの液体圧による押圧力に加えて板ガラスの自重でベルト部と板ガラスとの接触状態を保ち、しかも板ガラスとベルト部との間の液体を凹凸状表面の凹部から排出し、凸部で板ガラスとの摩擦抵抗を保って、板ガラスのパターン面に非接触の状態でベルト部で板ガラスを安定して搬送することができる。
【００１８】
一方、本発明に係る板ガラスの面取り装置は、前記いずれかの搬送装置を備え、該搬送装置で搬送する前記板ガラスの端縁を研削及び研磨する面取り機を有するとともに、前記ベルト部を搬送方向にガイドするガイド部を有している。これにより、板ガラスを、パターン面に非接触の状態で送りながら端縁（エッジ部）の研削及び研磨を正確に行うことができ、パターン面に疵が付いて歩留まりが悪化するのを抑止することができる。
【００１９】
また、前記面取り機は、前記板ガラスの送り方向両側部に対向して配置された砥石部を有していてもよい。このようにすれば、搬送装置で搬送する板ガラスの両端縁を、この両端縁に対向して配置した砥石部で二辺を同時に研削及び研磨することができる。
【００２０】
また、前記面取り機は、前記板ガラスの隅部を研削及び研磨する角面取り機を有していてもよい。このようにすれば、板ガラスの隅部の角面取り（コーナ面取り）を、四辺の端縁面取りの作業に組込んで連続的に行うことができる。角面取り機としては、直線または曲線状に面取りを行うようにしてもよい。
【００２１】
また、前記角面取り機は、研削砥石と研磨砥石とを有する砥石部を備え、該砥石部は、前記研削砥石又は研磨砥石を前記板ガラスの端縁に位置させる配置替え機構を具備していてもよい。このようにすれば、搬送装置で搬送する板ガラスの角部を、角面取り機で研削及び研磨することができ、板ガラスの角部（コーナ部）における仕上げを高精度で行うことができる。
【００２２】
また、前記板ガラスの搬送方向に前記面取り装置を２台配置し、該２台の面取り装置の間に前記板ガラスを水平面内で９０度回転させる反転機を備えさせてもよい。このようにすれば、上流側の面取り装置で板ガラスの二辺端縁を面取り加工した後、反転機で板ガラスを水平面内で９０度回転させ、その後、後流側の面取り装置で板ガラスの他の二辺端縁を面取り加工することで、板ガラスの四辺を連続的に面取り加工することができ、面取り作業のサイクルタイムを縮めることが可能となる。
【００２３】
また、前記面取り装置は、長辺面取り装置と短辺面取り装置とで構成され、前記長辺面取り装置は、Ｒ面取り砥石、研磨砥石を有する砥石部を備え、前記短辺面取り装置は、Ｒ面取り砥石、研磨砥石、角面取り砥石とを有する砥石部を備えていてもよい。この明細書及び特許請求の範囲の書類中における「Ｒ面取り」は、板厚断面の中央部が突出するような半円状に面取りすることをいう。このようにすれば、板ガラスの送り時間が短い短辺面取り装置において、板ガラスの短辺二辺の端縁面取りと角面取りとを行うことで、長辺面取り装置と短辺面取り装置とで板ガラスの送り速度変化を抑えて連続的な面取り作業を効率良く行うことができる。
【発明の効果】
【００２４】
本発明によれば、板ガラスを、パターン面に非接触の状態で液体圧によって支持して搬送することができるので、板ガラスの表面の高品質を保って歩留まり良く搬送することができ、生産性を向上させることが可能となる。
【図面の簡単な説明】
【００２５】
【図１】本発明の搬送装置を備えた第１実施形態に係る面取り装置の搬送方向と直交する断面図である。
【図２】図１に示すベルト部の搬送方向における拡大側面図である。
【図３】図１に示すパターン面支持水ガイド部分の拡大図である。
【図４】本発明の搬送装置を備えた第２実施形態に係る面取り装置の搬送方向と直交する断面図である。
【図５】図４に示すベルト部の搬送方向における中央部断面図である。
【図６】図５に示すVI−VI断面図である。
【図７】(a) は、本発明に係る面取り装置の第１配置例を模式的に示す平面図であり、(b) は、その面取り装置における角面取り機の別な例を示す平面図である。
【図８】本発明に係る面取り装置の第２配置例を模式的に示す平面図である。
【図９】図７，８に示す面取り機の他の例による研削時の正面図である。
【図１０】図９に示す面取り機による研磨時の正面図である。
【発明を実施するための形態】
【００２６】
以下、本発明の実施形態を図面に基づいて説明する。以下の実施形態では、板ガラス１を送りながら端縁５の面取りを行う面取り装置を例に説明する。以下の実施形態では、板ガラス１の送り方向中央部に送り機構４０を備え、板ガラス１のパターン面２を上方に向けて搬送する例を説明する。また、液体として水を例に説明する。なお、板ガラス１の厚み等は誇張して示す。
【００２７】
図１に示すように、搬送装置１０としては、幅方向中央部に板ガラス１の下面を支持するベルト部１１が設けられている。このベルト部１１は、矩形状のフレーム１２の上部に設けられたベルト受け１３上を金属製ベルト１４（例えば、ステンレス製ベルト）が移動するようになっている。この金属製ベルト１４には、外周面にゴム板１５が貼り付けられている。金属製ベルト１４の外周にゴム板１５を一体的に設けることにより、金属製ベルト１４によって板ガラス１の正確な搬送方向位置制御ができるようにし、ゴム板１５によって板ガラス１と柔接触するようにしている。
【００２８】
このベルト部１１による板ガラス１の搬送方向と直交する方向の正確な搬送は、上記金属製ベルト１４の搬送方向真直度を保つことで行っている。この金属製ベルト１４の搬送方向真直度は、フレーム１２に設けられたサイドローラ１６，１７（ガイド部）で金属製ベルト１４の幅方向移動を規制するようにガイドすることで保たれている。これらのサイドローラ１６，１７は、フレーム１２に設けられた支持ブラケット１８の上部に回転可能に支持されている。サイドローラ１６は、正確な位置に設けられている。
【００２９】
そして、図示する例では、右側のサイドローラ１６が基準側ガイド部となる基準側サイドローラ１６となっており、反対側のサイドローラ１７は、フレーム１２に設けられたバネ１９で支持ブラケット１８をフレーム１２方向に引張ることで所定の押圧力で金属製ベルト１４に押付けられている。これにより、金属製ベルト１４が基準側サイドローラ１６に案内されて正確な位置で移動するようにして、ベルト部１１の幅方向移動を規制している。
【００３０】
また、金属製ベルト１４は、端部に設けられた駆動プーリ（図示略）によって駆動されている。駆動プーリは、サーボモータで駆動されており、速度及び位置が制御されている。これにより、複数の板ガラス１を同時に送る場合でも、全ての板ガラス１の送りを全く同じ動きにすることができる。
【００３１】
図２に示すように、上記ベルト部１１のゴム板１５の表面は凹凸状に形成されている。この実施形態のゴム板１５の表面は、搬送方向と交差する方向の溝２０を搬送方向に等間隔で設けることによって凹凸状に形成されている。この溝２０により、ゴム板１５と板ガラス１との間の水を排出し、凸部によって板ガラス１との摩擦抵抗を保つようにしている。溝２０の大きさ、形状、配設ピッチ等は一例であり、他の大きさ、形状、配設ピッチであってもよい。また、この溝２０に代えて、板ガラス１との間の水で摩擦抵抗が低下するのを防止できる凹状部などを採用してもよい。
【００３２】
一方、図１に示すように、上記板ガラス１は、幅方向中央部における上記ベルト部１１による支持に加え、幅方向両端部水ガイド２５と幅方向中間部水ガイド２６とによって反パターン面（下面）３の中央部以外が支持されている。中間部水ガイド２６は、板ガラス１の非接触支持と、撓みによる変形を防止している。この中間部水ガイド２６は、板ガラス１のサイズに応じて適宜配置される。
【００３３】
これらの反パターン面水ガイド２５，２６は、水Wを供給することにより、水ガイド上面と板ガラス下面との間に水を流出させ、この水で水ガイド２５，２６の上面と板ガラス１の下面との間に水膜を形成し、この水膜を介して板ガラス１を下方から支持するように構成されている。
【００３４】
また、板ガラス１を挟んで上記幅方向両端部水ガイド２５と対向するように、板ガラス１の上方にも幅方向両端部水ガイド２７が設けられている。この幅方向両端部水ガイド２７は、板ガラス１の上面と僅かな隙間を設けて配置されており、この水ガイド２７から板ガラス１との隙間に水が流出させられ、この水によって水ガイド２７と板ガラス１との間に水膜を形成し、この水膜を介して板ガラス１を上記幅方向両端部水ガイド２５とによって非接触で支持している。
【００３５】
一方、上記ベルト部１１と対向するように、板ガラス１の幅方向中央部の上方にはパターン面支持水ガイド３０が設けられている。このパターン面支持水ガイド３０は、板ガラス１の上面と僅かな隙間を有するように配置されており、板ガラス１とは非接触の状態で配置されている。
【００３６】
図３にも示すように、パターン面支持水ガイド３０には、上部に所定圧の水Ｗを供給する水供給口３１が設けられている。この水供給口３１の下方には、所定体積の貯水部３２が設けられている。また、この貯水部３２の下方には、２段で拡径する供給穴３３から水を供給する貯圧部３４が設けられている。この貯圧部３４は、パターン面支持水ガイド３０と板ガラス１の上面との間の僅かな隙間から水が漏れ出るような状態で、この貯圧部３４に溜められた水によって板ガラス１の上面に所定の水圧（流体圧）が作用する体積に形成されている。
【００３７】
このパターン面支持水ガイド３０は、平面視が矩形状の小区画に形成されており、板ガラス１の搬送方向に所定間隔で複数個が設けられている（例えば、図２に二点鎖線で示すような間隔）。このパターン面支持水ガイド３０を所定間隔で設けることにより、搬送方向の長さが限られている板ガラス１を複数個のパターン面支持水ガイド３０でベルト部１１に向けて押圧した状態を保てるようにしている。
【００３８】
そして、このパターン面支持水ガイド３０に供給された水による上記貯圧部３４の面積に応じた力により、板ガラス１が上記ベルト部１１のゴム板１５に押圧されている。ゴム板１５が受ける押圧力の反力は、ベルト受け１３によって受けられている。板ガラス１への押圧力は、水圧を調節することによる推力で調節される。このようにして水圧で板ガラス１をベルト部１１に押圧することにより、板ガラス１は水圧に比例したゴム板１５との間の摩擦力でベルト部１１と一緒に移動するようにしている。
【００３９】
従って、板ガラス１は、パターン面２には非接触の状態で、パターン面支持水ガイド３０とベルト部１１とによって上下方向から挟んで支持されて、ベルト部１１と一体的に移動させられる。
【００４０】
上記ベルト部１１とパターン面支持水ガイド３０とによって板ガラス１を上下方向から挟持して搬送する構成が、板ガラス１の送り機構４０であり、この送り機構４０によって板ガラス１を搬送する装置が搬送装置１０である。                                      
【００４１】
また、図示する例は、上記搬送装置１０に面取り機能を備えさせることで面取り装置４５としている。この面取り装置４５は、上記したようにパターン面２に非接触の状態で送られる板ガラス１の幅方向端縁５を研削及び研磨するように面取り機５０を備えている。この実施形態では、板ガラス１の対向する二辺を同時に研削及び研磨するように面取り機５０が対向配置されている。
【００４２】
この面取り機５０は、駆動機（モータ）５１の下方に円筒形の研削砥石５２（砥石部）が設けられている。研削砥石５２は、縦方向に複数段のＲ面取り砥石５３が並設されたものであり、この実施形態では５段の砥石５３が設けられている。この砥石５３としては、板ガラス１の面取りに適した所定粒度の砥粒が用いられる。また、この砥石５３は、板ガラス１の端縁を板厚中央部が突出する半円状にＲ面取りするために、板ガラス１の面取り形状と合う凹状部を有する断面の砥石となっている。砥石５３は、形状が限定されるものではない。
【００４３】
上記砥石５３は、並設した各凹状部が独立した砥石となっており、駆動機５１によって砥石全体を回転させながら板ガラス１の端縁に接触させることで、各凹状部によって板ガラス１の端縁がＲ状に研削されるようになっている。この研削砥石５２によれば、一部のＲ面取り砥石５３が磨耗しても他のＲ面取り砥石５３によって研削作業を行うことができる。
【００４４】
以上のような第１実施形態の面取り装置４５によれば、搬送装置１０としては、ベルト部１１のゴム板１５上に板ガラス１の幅方向中央部をパターン面支持水ガイド３０からの水圧で非接触支持するとともに、この板ガラス１の幅方向両端部も水ガイド２５，２６，２７によって非接触で支持しているので、板ガラス１のパターン面２の高品質を保った状態でベルト部１１によって正確に搬送することができる。
【００４５】
また、上記搬送装置１０に面取り機能を備えさせた面取り装置４５とした場合、板ガラス１の幅方向両端部の上下面を水ガイド２５，２７で支持しているため、両側方の研削砥石５２の切削粉が遠心力で板ガラス１の表面に飛散したとしても水で流され、付着することを防止することができる。
【００４６】
従って、板ガラス１の表面の高品質を保った状態で搬送し、その端縁を面取り仕上げすることができるので、歩留まりの向上と生産性の向上を図ることが可能となる。
【００４７】
図４は、上記第１実施形態とベルト部１１が異なる第２実施形態の面取り装置６０である。上記第１実施形態の搬送装置１０では、ベルト部１１に金属製ベルト１４を用いた例を示したが、この第２実施形態の搬送装置５５では、板ガラス１の下面と接するベルト部６１に特殊なタイミングベルト６２を採用している。なお、上記第１実施形態と同一の構成には同一符号を付し、その説明は省略する。
【００４８】
図５に示すように、このタイミングベルト６２は、外面及び内面の両面に歯部が設けられたタイミングベルトとなっている。外面歯部６３は、板ガラス１と接した状態で、タイミングベルト６２と板ガラス１との間の水を歯部６３の間から排出して摩擦抵抗を保つためのものである。内面歯部６４は、タイミングベルト６２の端部において駆動用プーリ（図示略）と噛合して、タイミングベルト６２を正確に送るためのものである。
【００４９】
また、図６に示すように、このタイミングベルト６２の内面歯部６４には、幅方向中央部の長手方向に、ガイド部６５となる切込み溝が設けられている。このガイド部６５は、フレーム１２に設けられた支持材６７によって回転可能に支持されたガイドプーリ６６が沿うようになっている。このガイドプーリ６６は、フレーム１２に回転可能に支持されている。このガイドプーリ６６にタイミングベルト６２のガイド部６５を沿わせて搬送方向に送ることで、タイミングベルト６２の搬送方向真直度を確保している。このタイミングベルト６２の搬送方向真直度を保つことにより、タイミングベルト６２と一体的に送られる板ガラス１の搬送方向真直度を保つようにしている。
【００５０】
なお、この実施形態では、外面及び内面の両面に歯部６３，６４が設けられた特殊タイミングベルト６２を例にしているが、同様の構成であれば他のベルトであってもよい。
【００５１】
以上のような第２実施形態の面取り装置６０によっても、搬送装置５５としては、ベルト部６１のタイミングベルト６２上に板ガラス１の幅方向中央部を上述したパターン面支持水ガイド３０からの水圧で非接触支持するとともに、この板ガラス１の幅方向両端部も水ガイド２５，２６，２７によって非接触で支持しているので、板ガラス１のパターン面２の高品質を保った状態でベルト部６１によって正確に搬送することができる。
【００５２】
また、この実施形態でも、搬送装置５５に面取り機能を備えさせた面取り装置６０とした場合、板ガラス１の幅方向両端部の上下面を水ガイド２５，２７で支持しているため、搬送装置５５を備えた面取り装置６０によれば、両側方の研削砥石５２の切削粉が遠心力で板ガラス１の表面に飛散したとしても水で流され、付着することを防止することができる。
【００５３】
従って、この実施形態でも、板ガラス１の表面の高品質を保った状態で搬送し、その端縁を面取り仕上げすることができるので、歩留まりの向上と生産性の向上を図ることが可能となる。
【００５４】
図７，８は、上記面取り装置４５，６０の配置例を示す図面である。図７は、長方形状の板ガラス１の長辺を面取りする長辺面取り装置７０を上流側に配置し、その後流側に、板ガラス１を９０度反転させる反転機７１と、板ガラス１の短辺を面取りする短辺面取り装置７２とを順に配置した例である。図の左方向が搬入側で右方向が搬出側であり、左方向から右方向に板ガラス１が搬送される。これらの面取り装置７０，７２は、上述した面取り装置４５又は６０と同様の構成であるが、以下の説明では主要な構成に別符号を付して説明する。
【００５５】
図７に示す構成の場合、長辺面取り装置７０に搬入された板ガラス１が、まずアライメント装置７３の基準ローラ７４によって送り方向一辺を基準にして位置調節される。このアライメント調節された板ガラス１は、搬送方向に送られながら、長辺の二辺が研削砥石７５（Ｒ面取り砥石）によってＲ面取りされた後、研磨砥石７６によって研磨される。
【００５６】
この長辺面取り装置７０で長辺が面取りされた板ガラス１は、反転機７１へと送られ、この反転機７１で９０度反転させられる。反転機７１で９０度反転させられた板ガラス１は、短辺面取り装置７２へと搬送される。
【００５７】
短辺面取り装置７２に搬入された板ガラス１は、図７(a) に示す構成では、まずアライメント装置７３の基準ローラ７４によって送り方向一辺を基準にして位置調節されるとともに、角面取り機８０による板ガラス１の四隅部６の角面取りが行われる。アライメント調節と角面取り機８０による四隅部６の角面取りが行われた板ガラス１は、短辺面取り装置７２で搬送されながら、短辺の二辺が研削砥石７５によってＲ面取りされた後、研磨砥石７６によって研磨される。図７(a) に示す構成では、角面取り機８０を４台設けた例を示しているが、図７(b) に示す短辺面取り装置７２のように、角面取り機８０を２台設けて、搬送方向の前端２箇所の隅部６を角面取りした後、板ガラス１を送って後端２箇所の隅部６を角面取りするようにしてもよい。
【００５８】
そして、このようにして周縁が研削及び研磨された板ガラス１は、後工程へと搬出される。この構成によれば、搬送距離の短い短辺面取り装置７２において四隅部６の角面取りを行っているため、この角面取り作業と短辺二辺の面取り作業に要する時間と、長辺二辺の面取り作業に要する時間とを同様にすることができる。従って、長辺面取り装置７０と短辺面取り装置７２とで板ガラス１を搬送しながら全周を面取りする作業を連続的に行って、板ガラス１の面取り作業を効率的に行うことが可能となる。
【００５９】
図８は、上記図７における長辺面取り装置７０と短辺面取り装置７２との配置が前後逆になったものである。構成としては同一であるため、同一の構成には同一符号を付して説明する。
【００６０】
図示するように、この構成の場合、短辺面取り装置７２に搬入された板ガラス１は、まずアライメント装置７３の基準ローラ７４によって送り方向一辺を基準にして位置調節されるとともに、角面取り機８０による四隅部６の角面取りが行われる。アライメント調節と角面取り機８０による四隅部６の角面取りが行われた板ガラス１は、短辺面取り装置７２で搬送されながら、短辺の二辺が研削砥石７５によってＲ面取りされた後、研磨砥石７６によって研磨される。
【００６１】
この短辺面取り装置７２で短辺が面取りされた板ガラス１は、反転機７１へと送られ、この反転機７１で９０度反転させられる。反転機７１で９０度反転させられた板ガラス１は、長辺面取り装置７０へと搬送される。
【００６２】
長辺面取り装置７０に搬入された板ガラス１は、まずアライメント装置７３の基準ローラ７４によって送り方向一辺を基準にして位置調節される。このアライメント調節された板ガラス１は、搬送方向に送られながら、長辺の二辺が研削砥石７５によってＲ面取りされた後、研磨砥石７６によって研磨される。
【００６３】
そして、このようにして周縁が研削及び研磨された板ガラス１は、後工程へと搬出される。この構成によっても、上記したように、角面取り作業と短辺二辺の面取り作業に要する時間と、長辺二辺の面取り作業に要する時間とを同様にすることができ、板ガラス１を搬送しながら全周を面取りする作業を連続的に行って、板ガラス１の面取り作業を効率的に行うことが可能となる。
【００６４】
上記図７又は図８における面取り装置７０，７２の構成は、上流の工程から搬入される板ガラス１の向きによって決定される。そして、上記面取り装置７０，７２から搬出される板ガラス１は、四辺の端縁５と四隅部６の全周が研削及び研磨されているため、仕上げ精度の高い板ガラス１として後流の工程へ搬出される。
【００６５】
図９，１０は、上記図７，８に示す角面取り機８０の構成例である。角面取り機８０としては、隅部６を直線または曲線状に研削する角面取り用研削砥石８１と、その研削面を磨く研磨砥石８２とを同軸上に具備させ、同一の駆動機８３（モータ等）で駆動するように構成されている。図示する例では、研削砥石８１の下方に研磨砥石８２を装着している。この構成の場合、研削砥石８１と研磨砥石８２とを軸方向に位置変更する配置替え機構を具備させる。この配置替え機構としては、角面取り機８０の全体を軸方向に移動させる機構などが採用される。
【００６６】
このようにすれば、図９に示すように、研削砥石８１で研削後、図１０に示すように、角面取り機８０を軸方向に移動（上昇）させて研磨砥石８２を板ガラス１の位置に配置替えした後、同じ軌跡で研磨することができる。これにより、研削作業と研磨作業とを連続して迅速に行うことができる。しかも、角部の研磨作業を行うことで、板ガラス１の角面取り部分も高精度で研磨して仕上げることができ、製品の品質向上を図ることができる。
【００６７】
以上のように、上記面取り装置４５，６０によれば、板ガラス１のパターン面２に構造物を接触させることなく搬送装置１０，５５で板ガラス１を搬送できるため、板ガラス１のパターン面２に疵が付くのを確実に防止することができる。
【００６８】
また、板ガラス１の四辺の端縁５及び四隅部６を迅速に研削及び研磨して面取りすることができるので、周縁全体の面取り仕上げが高い板ガラス１を製造することができる。しかも、周縁の面取り仕上げを高品質とすることで、後工程における板ガラス１の割れ等を防ぐことができるので、歩留まりを向上させて生産性の向上を図ることが可能となる。
【００６９】
さらに、上記したような面取り装置４５，６０によれば、板ガラス１を連続送りすることができ、板ガラス１の面取り作業に要するサイクルタイムを縮めることが可能となる。
【００７０】
なお、上記実施形態では、搬送装置１０，５５を面取り装置４５，６０に適用した例を説明したが、板ガラス１を水平状態で搬送する構成であれば他の装置にも適用することができ、面取り装置４５，６０に限定されるものではない。
【００７１】
また、上記実施形態では、板ガラス１の幅方向中央部のみに送り機構４０を設けた例を説明したが、送り機構４０を幅方向に複数列設けるような構成であってもよく、上記実施形態の構成に限定されるものではない。
【００７２】
さらに、上記実施形態は一例を示しており、本発明の要旨を損なわない範囲での種々の変更は可能であり、本発明は上述した実施形態に限定されるものではない。
【産業上の利用可能性】
【００７３】
本発明に係る板ガラスの搬送装置は、板ガラスを送りながら面取りする面取り装置や、板ガラスの反転装置などに利用できる。
【符号の説明】
【００７４】
１  板ガラス
２  パターン面
３  反パターン面
５  端縁
６  隅部
１０  搬送装置
１１  ベルト部
１３  ベルト受け
１４  金属製ベルト
１５  ゴム板
１６  サイドローラ（基準側ガイド部）
１７  サイドローラ（ガイド部）
１９  バネ
２０  溝
２５  幅方向両端部水ガイド（液体ガイド）
２６  幅方向中間部水ガイド
２７  幅方向両端部水ガイド（液体ガイド）
３０  パターン面支持水ガイド（流体ガイド）
３２  貯水部
３３  供給穴
３４  貯圧部
４０  送り機構
４５  面取り装置
５０  面取り機
５１  駆動機
５２  研削砥石
５３  Ｒ面取り砥石
５５  搬送装置
６０  面取り装置
６１  ベルト部
６２  タイミングベルト
６３  外面歯部
６４  内面歯部
６５  ガイド部
６６  ガイドプーリ
７０  長辺面取り装置
７１  反転機
７２  短辺面取り装置
７３  アライメント装置
７４  基準ローラ
７５  研削砥石（Ｒ面取り砥石）
７６  研磨砥石
８０  角面取り機
８１  研削砥石（角面取り砥石）
８２  研磨砥石（角面取り砥石）
Ｗ  水（液体）
【図１】
0005162640.tif 000002
【図２】
0005162640.tif 000003
【図３】
0005162640.tif 000004
【図４】
0005162640.tif 000005
【図５】
0005162640.tif 000006
【図６】
0005162640.tif 000007
【図７】
0005162640.tif 000008
【図８】
0005162640.tif 000009
【図９】
0005162640.tif 000010
【図１０】
0005162640.tif 000011